(57)【要約】      （修正有）【課題】日常生活では、乳児の身の回りにある玩具として使用でき、緊急持出し時にそのものを持出すことができるバックを提供する。【解決手段】動物などのキャラクターに形成されたぬいぐるみ１の少なくとも胴体２部分を、哺乳瓶１２、水１２、粉ミルク１３、替えおむつ１４などから構成される乳児用緊急持出し用品９の収納空間とし、その背面部をファスナー７により開閉可能に閉じたものである。【選択図】図２
0003117066.tif 000002
【実用新案登録請求の範囲】
【請求項１】
動物、人形などのキャラクターに形成されたぬいぐるみの少なくとも胴体部分を、乳児用緊急持出し用品の収納空間とし、その背面部をファスナーにより開閉可能に閉じたことを特徴とする乳児用緊急持出しパック。
【請求項２】
動物、人形などのキャラクターに形成されたぬいぐるみの少なくとも胴体部分を、乳児用緊急持出し用品の収納空間とし、該収納空間内に哺乳瓶など複数種類の乳児用緊急持出し用品を収納させ、その少なくとも背面部を開閉可能に閉じたことを特徴とする乳児用緊急持出しパック。
【請求項３】
前記乳児用緊急持出し用品は、哺乳瓶、水、粉ミルク、替えおむつなどから構成されることを特徴とする請求項１又は２に記載の乳児用緊急持出しパック。
【請求項４】
前記収納空間は、前記胴体部分、頭部、及び手足部にも形成されていることを特徴とする請求項１乃至３のいずれか１項記載の乳児用緊急持出しパック。
【請求項５】
前記ぬいぐるみの背面に吊下げ用の把手を設けたことを特徴とする請求項１乃至４のいずれか１項記載の乳児用緊急持出しパック。
【請求項６】
前記ファスナーにおけるスライダーの閉止位置に、該スライダーの開閉動作を規制する規制手段を設けたことを特徴とする請求項１項記載の乳児用緊急持出しパック。
【請求項７】
前記規制手段は、下端が開口された略箱形のスライダーカバーにより形成され、その外壁には蓋体が開閉自在に形成されたことを特徴とする請求項６記載の乳児用緊急持出しパック。
【請求項８】
前記乳児用緊急持出しパックの表面の少なくとも一部、又は、その附属品の少なくとも一部が、蛍光性若しくは発光性素材により形成されていることを特徴とする請求項１乃至７の少なくとも１項記載の乳児用緊急持出しパック。
【考案の詳細な説明】
【技術分野】
【０００１】
本考案は乳児用緊急持出しパックに関し、特に通常状態では乳児の身の回りにある玩具として使用でき、緊急持出し時にそのものを持出すことで、緊急時に対処できるようにしたものに関する。
【背景技術】
【０００２】
緊急非難袋と称されるリュックザック形の緊急持出しパックが知られている。このものは主に自治体などから配布されるもので、水、乾パンなどの食料品、医薬品、その他緊急時に必要な防災用具を詰めた銀色のリュックであり、防災頭巾としても活用できる。
【考案の開示】
【考案が解決しようとする課題】
【０００３】
しかしながらこの緊急持出しパックにあっては、児童から大人までが活用できる程度のもので、新生児などの乳幼児用には考慮されていなかった。
【０００４】
すなわち、乳児にとっての必要品は替えおむつや、ミルク及び、水、哺乳瓶などを含むが、一般的な防災用具としては考慮されておらず、乳児を携えて避難場所に入居したとしても、これら乳児に必要な災害対策用品はほとんどそろっておらず、避難場所での調達に苦慮しているのが現状である。
【０００５】
また、日常生活においてはあえてこれら緊急持出しパックを目立つ場所に保管することはなく、物入れや押入などのどこかにしまいがちで、どこに保管したかも忘れている場合もあるのが実状であり、突発的な緊急時においては保管場所を探す余裕も無いことから、十分に活用出来ているとは言い難い。
【０００６】
そこで、本考案は以上の課題を解決するものであり、その目的とするところは日常生活では、乳児の身の回りにある玩具として使用でき、緊急持出し時にそのものを持出すことで、緊急時に対処できるようにした乳児用緊急持出しパックを提供するものである。
【課題を解決するための手段】
【０００７】
前記目的を達成するため本考案は、動物、人形などのキャラクターに形成されたぬいぐるみの少なくとも胴体部分を、哺乳瓶、水、粉ミルク、替えおむつなどから構成される乳児用緊急持出し用品の収納空間とし、その背面部をファスナーにより開閉可能に閉じたことを特徴としている。
上記乳児用緊急持出し用品は、予め、ぬいぐるみ内にセットとして収納され、商品化されていることが一般的であるが、使用者（お母さん）が適宜選択して出し入れし、入れ換えて使用することができる。
【０００８】
また、前記ぬいぐるみの背面に吊下げ用の把手を設けたことを特徴としている。また、パック表面の少なくとも一部、あるいはリボンなど附属品を蛍光性若しくは発光性素材で形成させることにより、夜間持ち出し時に、容易に持ち出すことができる。
【０００９】
さらに、前記ファスナーにおけるスライダーの閉止位置に、該スライダーの開閉動作を規制する規制手段を設けたことを特徴としている。
前記規制手段は、下端が開口された略箱形のスライダーカバーであり、外壁には蓋体が形成されていることを特徴とする。
【考案の効果】
【００１０】
以上により本考案にあっては、日常においては乳児用ぬいぐるみ玩具として乳児の傍らに常時置いておき、地震、台風などの緊急時においては、乳児とともにこのぬいぐるみを持出して待避することにより、待避場所でファスナーを開けば、直ちに乳児用品として使用できる。
【００１１】
内部に多数の乳児用緊急持出し品を収納させてパック販売することにより、ぬいぐるみ玩具としての商品価値が向上し、内部品の広告宣伝にも有効である。
【００１２】
また、緊急時には、把手を持って、赤ちゃんと一緒に抱えて持ち出すことができる。また、日常時に把手を介してベビーサークルベッドの柱に吊しておき、避難時には把手を把手として持歩くことが出来る。
【００１３】
さらに、ファスナーにおけるスライダーの閉止位置に、該スライダーの開閉動作を規制する規制手段を設けることにより、日常時において、乳児が容易にファスナーを開くことが出来ないため、中身の散乱や、中身を乳児が口にすることによる思いがけない事故を未然に防止できる。
【考案を実施するための最良の形態】
【００１４】
以下本考案の最良の形態につき、添付図面を参照して説明する。図１は本考案に係る乳児用緊急持出しパックをテディベアなどの熊のぬいぐるみ（以下ぬいぐるみと称する）に適用した場合を示す正面図及び背面図及びぬいぐるみ内に格納される各種乳児用品を示し、図２は同ぬいぐるみ内に乳児用品を詰込んだ状態を示すものである。
【００１５】
図において、ぬいぐるみ１は、表面にアクリルボアなど毛足のある布地を型紙などに合わせて適宜裁断し、個別に縫合された胴体２、頭部３、左右の手４，及び脚部５などのパーツを縫合して一体化するとともに、目、鼻などのパーツを組付けることで熊の形に形成し、さらに胴体２を除く各パーツの内部にウレタン、綿などの弾性材６を詰込んで形状保持を行っている。これに対し、胴体２の内部には図２に示すごとくある程度の厚みの弾性材６ａを内張し、胴体２の表面の柔軟な感触を確保すると同時に内部を収納空間としている。ぬいぐるみ１の表面の全部又は一部若しくはリボンなど附属品の一部は、蛍光素材を使用して、夜間などの持ち出しを容易にすることが望ましい。
【００１６】
ぬいぐるみ１の完成状態においては、図１の正面視では、通常の玩具の熊のぬいぐるみと全く同じ形態となる。
【００１７】
これに対し、図１の背面視では、胴体２の背面中央部にはファスナー７が縦方向に設けられ、ファスナー７のスライダー７ａを昇降させることによって胴体２の内部を開閉可能とし、さらには胴体と首の付け根との間には吊下げ用の把手８が縫合により固定されている点が通常の玩具とは異なるが、それ以外の外観は全く通常のぬいぐるみ玩具と同じである。
【００１８】
前記胴体２の内部収納空間には乳児に必須な各種非常持出し用品９が格納される。この用品９の内容としては図１に示すように、哺乳用紙コップ１０と、これに着脱可能に取付けられる取替えパック式哺乳瓶１１、紙おむつ１２、ドライミルク１３及びこれを溶かすためのボイルドウオーターを収装したペットボトル１４、お尻拭き用のウエットティッシュ１５及び、図示しない食品加熱用のヒートパックなどである。
【００１９】
これら持出し用品９のうち、図１においては、紙おむつ１２、ドライミルク１３は袋または箱にパック詰にされているが、使用にあたっては個々に取出し、胴体２内に出来る限り詰込まれる。特にドライミルク１３は、図２の一部に拡大して示すように、一食分の大きさにパック詰されており、このパックの端部を切りとり、これを紙コップ１０に入れ、ペットボトル１４から水を注いで溶かし、次いでほ乳瓶１１をコップ１０に取付ければ、授乳が出来るようになっている。また必要あれば、ヒートパックをコップ１０の廻りに装着し、ある程度暖めてから授乳させることもできる。
【００２０】
そして、同図２に示すように、比較的堅いペットボトル１４、ほ乳瓶１１及びこれの下部に積層された紙コップ１０を中芯としその周囲に柔らかく変形性に富むドライミルク１３のパック、紙おむつ１２、ウエットティッシュ１５などを詰込むことにより、胴体２の体型を保ち、かつぬいぐるみに固有の柔らかい感触を保つことが出来る。
これら持出し用品９は、ぬいぐるみ１の内部に予め詰められて販売されることが原則である。しかしながら、使用者（お母さん）が適宜入れ換えたり、持出し用品９の組を複数商店などで用意して、適宜の組を入れて販売することができる。
【００２１】
この状態で前記把手８を乳児用のベビーベッドやベビーサークルの柱に引っ掛けてぬいぐるみ１を吊しておいたり、乳児の傍らに置いておけば、常時乳児の近くに接し、かつ人目に付く位置に違和感を生ずることなく乳児用玩具として用いることが出来る。
【００２２】
また、地震、台風などの緊急災害時には、直ちに乳児とともに、把手８を介してぬいぐるみ１をもって避難場所に避難出来る。避難後は、前述のごとく中身を出して授乳やおむつ替えに直ちに使用可能となる。
【００２３】
以上の持出し用品９の収納量は、ぬいぐるみ１の容量・大きさにより、大きいものはそれだけ多くの用品を収納できる。但し、日本などでは救援対策が整うまでを１日程度を目安とすることが出来、避難を一日と仮定すれば、一日程度のミルク、水、替えおむつを収納でき、かつ乳児を抱えての行動に支障を与えないようにぬいぐるみ１の容量・大きさを設定すればよい。
【００２４】
ところで、前記ファスナー７のスライダー７ａを閉じた状態で乳児がこれをいじって引下げた場合には、中身が飛出てしまい、周囲が乱雑になる。また、乳児が中身を口にした場合、例えばヒートパックのような危険性のあるものも混在していることもあるため、スライダー７ａを閉止位置に規制する手段が必要である。
【００２５】
このために、スライダー７ａの閉止位置には、図２、及び特に図３（ａ），（ｂ）に示すように、規制手段としてのスライダーカバー１６がリベット１７を介して閉止位置に固定されている。
【００２６】
このカバー１６は合成樹脂製であって前記ファスナー７の両側をまたいでリベット１７により固定されるもので、下端開口し、かつ背面に形成された開口をこれと一体にヒンジ結合された蓋体１８で開閉可能に覆うものであり、蓋体１８の開閉端にはつまみ１８ａが突設され、またその両側にはカバー１６の開口両側に形成された係止凹部１６ａに弾発的に固定される係止突起１８ｂを突設したものである。
【００２７】
そして、図３（ａ）に示すように、スライダー７ａを閉止位置に移動する、またはこの閉止位置から移動する際には指などにより蓋体１８を開くことによって、支障がなくスライダー７ａの移動操作を行うことが出来る。
【００２８】
スライダー７ａの閉止位置では、図３（ｂ）に示すごとく蓋体１８を押せば、蓋体１８はカバー１６の開口部を覆うとともに、クリック音を発しつつ係止突起１８ｂが係止凹部１６ａに係合して抜止めされ、スライダー７ａを完全にカバー１６内に覆い隠す。
【００２９】
したがって、蓋体１８を閉じた状態では、スライダー７ａをいじることは出来ず、また係止突起１８ｂと係止凹部１６ａにより強固に閉止位置に保持されるため、蓋体１８を開くには幼児の力では出来ず、大人の手が加わる以外はスライダー７ａは閉止位置に保持され、安全性を保つことが出来るのである。
【００３０】
以上の実施形態においては、ぬいぐるみを熊のキャラクターとした。これはそのキャラクターの特性上、胴内容積が頭や手足などに比べて大きいことにもよるが、特に熊に限定されるものでなく、他のウサギや狸などの他の動物のキャラクターや人形なども適用可能であることは勿論である。
【００３１】
また、本実施形態では胴２の内部のみをファスナーで７で開閉可能な収納空間とし、他の部位に弾性材を充填したが、ぬいぐるみに固有の感触や保形性を損わない範囲で、頭部３や手足４，５もファスナーで開閉可能な収納空間としても良い。
【図面の簡単な説明】
【００３２】
【図１】本考案に係る乳児用緊急持出しパックを熊のぬいぐるに適用した場合を示す正面図及び背面図及びぬいぐるみ内に格納される各種乳児用品を示す説明図である。
【図２】図１における持出し用品を格納した状態を示す断面図である。
【図３】（ａ），（ｂ）は図２のＡ部におけるスライダーカバーの開閉状態を示す斜視図である。
【符号の説明】
【００３３】
１  ぬいぐるみ（乳児用緊急持出しパック）
２  胴
３  頭部
４，５  手・足
７  ファスナー
７ａ  スライダー
８  把手
９  持出し用品（１０  紙コップ、１１  哺乳瓶、１２  ペットボトル、１３  粉ミルク、１４  紙おむつ、１５  ウエットティッシュ）
１６、１８  スライダーの解放規制手段（１６  スライダーカバー、１８  蓋体）
【図１】
0003117066.tif 000003
【図２】
0003117066.tif 000004
【図３】
0003117066.tif 000005